(57)【要約】【課題】  余分な力を使わずに肩たたきのたたく力の強弱の調節をすることを得る。【解決手段】  肩たたきの本体に補助たたく部分６を取付け又は取はずしたりして使用するのであります。【選択図】  図２
0003110541.tif 000002
【実用新案登録請求の範囲】
【請求項１】
肩たたきのたたく補助部分６をナットボルト（ナベ）等により肩たたきのたたく部分２に取付けたり取はずしたりが可能な肩たたき。
【請求項２】
肩たたきの補助部分６を図４木片７等により肩たたきのたたく部分２に取付けたり取りはずしたりが可能な肩たたき。
【考案の詳細な説明】
【考案の詳細な説明】
【技術分野】  本考案は肩を手軽にたたくことができる肩たたきに係るものであります。
【考案が解決しようとする課題】
従来の肩たたき（スプリング式肩たたき）はスプリングが１本で肩をたたく部分２も１ヶしか取付けられなかった。又複数に肩をたたく部分２を増せなかった。又取付け取はずしができなかった。
【課題を解決するための手段】
課題を解決する手段は、ナット及ボルトで解決する方法請求項１と木片による課題の解決方法請求項２とあります。請求項１ナット及ボルトで解決する方法はたたく部分２に図２の如くたたく部分２にナット５を取付けて、補助たたく部分６にボルト４を取付けて、たたく部分２と補助たたく部分６とを密着固定し肩をたたくと強く肩をたたくことができます。すなわち複数に肩をたたく部分を増せます。又肩をたたく部分６を取りはずしすることができます。木片で解決する方法図４よりたたく部分２に穴８をあけて補助たたく部６に木片７を取付けて木片７を穴８に差し込んで密着させて固定し（図４木片７を穴８に差し込んで密着させる）肩をたたくと強く肩をたたくことができます。すなわち複数に肩をたたく部分を増せます。又肩をたたく部分６を取りはずしすることができます。
【考案実施の形態木片の場合】
本考案の肩たたきには補助たたく部６に木片７がついている又たたく部分２に穴８があいている強い肩たたきが必要な場合には７木片をたたく部分２の穴に差し込むのであります。そして肩をたたくのであります。たたく部分２がゴムであるので、穴８を木片より小さくあけて、木片７の先端部分９を木片より太くして抜けるのを防ぐ引かかりをつけてあります。ゴム穴の伸びで穴の中に穴より太い木片をさし込みと縮みと引かかりにより密着固定ができるのです。
【考案の実施の形態ナットとボルト（ナベ）の場合】
考案実施の形態について図１を参照して説明する。図３の肩たたきが従来の肩たたきの形態であります（ナットは附いていない）従来の肩たたきではたたく部分２が１ヶしかなく補助たたく部分６がなくて取りはずしができなかった。本考案の肩たたきには図１及図２には肩たたきのたたく部２と別に補助たたく部分６が附いていて又たたく部分２にボルト４を絞めるナット５がついているのであります。強くたたく場合には補助たたく部分のボルト４をナット５に差し込んで絞めつけて固定して肩をたたくのであります。
【実施例】  図２が実施例であります。肩をたたく部分２、６を重ねて肩をたたくと少しの力で肩を力強くたたけるのであります。又ゆるくたたく場合にはボルト４をゆるめてはずして肩をたたくと軽く肩をたたけるのであります。
【考案の効果】
１．少しの力で肩たたきの力の調整（強弱）が可能である。
２．肩の当たる部分６が、取りはずしができるので清潔にすることができる（洗浄可能）
３．ゆるく肩をたたきたい時には補助部の肩たたき部分６をはずすことができる。
【図面の簡単な説明】
【図１】  補助たたく部分６を取りはずした平面であります。
【図２】  補助たたく部分６をたたく部分２に取り付けて絞めた平面図であります。
【図３】  ゆるくたたくために補助肩たたき部分６をはずした平面図であります。
【符号の説明】
１  スプリング
２  たたく部分
３  柄
４  ボルト（ナベ）
５  ナット
６  補助たたく部分
７  木片
８  穴
９  引かかり
【図１】
0003110541.tif 000003
【図２】
0003110541.tif 000004
【図３】
0003110541.tif 000005
【図４】
0003110541.tif 000006
【手続補正書】
【提出日】平成16年10月20日(2004.10.20)
【手続補正１】
【補正対象書類名】実用新案登録請求の範囲
【補正対象項目名】補正の内容のとおり
【補正方法】変更
【補正の内容】
0003110541.tif 000007
0003110541.tif 000008
0003110541.tif 000009
0003110541.tif 000010
【手続補正書】
【提出日】平成17年2月25日(2005.2.25)
【手続補正１】
【補正対象書類名】実用新案登録請求の範囲
【補正対象項目名】全文
【補正方法】変更
【補正の内容】
【実用新案登録請求の範囲】
【請求項１】
肩たたきのたたく補助部分６にボルト４を取付けて、又肩たたきのたたく部分２の穴にナット５をうめ込んで取り付け、ナット５にボルト４を差し込んで締めつけて、取り付け、取りはずす場合にはナット５からボルト４をゆるめて、取りはずせる肩たたき。
【請求項２】
肩たたきの補助部分６に木片７の引かかり９等を取付けて肩たたきのたたく部分２の穴８に木片７の引かかり９をさし込んで取付け又は、はずす場合には補助肩たたき部分６を引ぱって、たたく部分２から取りはずすことができる肩たたき。
【手続補正２】
【補正対象書類名】明細書
【補正対象項目名】全文
【補正方法】変更
【補正の内容】
【考案の詳細な説明】
【技術分野】
【０００１】  本考案は肩を手軽にたたくことができる肩たたきに係るものであります。【０００２】  従来の肩たたきはスプリングが１本で、肩をたたく部分２も１ヶしか取付けられなかった。又複数に肩をたたく部分２を増せなかった。又取付け取りはずしができなかった。【０００３】  本考案の肩たたきはスプリングが１本で肩たたく部分２を複数に取付けられるし、又取りはずしも可能な肩たたきであります。
【考案が解決しようとする課題】
【０００４】  補助たたく部分６を取付けることにより肩を強くたたくことができます。又反対にゆるくたたく場合には補助たたく部分６を取りはずすことにより肩に当る力が弱くなります。従来品はそれができなかった。以上が考案が解決しようとする課題です。
【解決しようとする問題】
【０００５】  従来の肩たたきは、スプリングが１本で肩をたたく部分２も１ヶしかなく補助たたく部分６がないので力強く肩をたたけなかった。又弱くたたく場合には補助たたく部分６をはずすことができるので強弱の調整ができる。このたたく力の調整が解決しようとする問題であります。
【課題を解決するための手段】
【０００６】  課題を解決する手段は、ナット及ボルトで解決する方法請求項１と木片による課題の解決方法請求項２とあります。請求項１ナット及ボルトで解決する方法はたたく部分２に図２の如くたたく部分２にナット５を取付けて、補助たたく部分６にボルト４を取付けて、たたく部分２と補助たたく部分６とを密着固定し肩をたたくと強く肩をたたくことができます。すなわち複数に肩をたたく部分を増せます。又肩をたたく部分６を取りはずしすることができます。木片で解決する方法図４よりたたく部分２に穴８をあけて補助たたく部６に木片７を取付けて木片７を穴８に差し込んで密着させて固定し（図４木片７を穴８に差し込んで密着させる）肩をたたくと強く肩をたたくことができます。すなわち複数に肩をたたく部分を増せます。又肩をたたく部分６を取りはずしすることができます。
【考案の効果】
【０００７】  １  少しの力で肩たたきの力の調整（強弱）が可能である。
２  肩の当たる部分６が、取りはずしができるので清潔にすることができる（洗浄可能）
３  ゆるく肩をたたきたい時には補助部の肩たたき部分６をはずすことができる。
【考案実施の最良の形態】
【０００８】  図２  図４
【実施例１】
【０００９】実施例  ナット
図２が実施例であります。肩をたたく部分２、６を重ねて肩をたたくと少しの力で肩を力強くたたけるのであります。又ゆるくたたく場合にはボルト４をゆるめてはずして肩をたたくと軽く肩をたたけるのであります。
【実施例２】
【００１０】  図４参照本考案の肩たたきには補助たたく部分６に木片７がついている又たたく部分２に穴８があいている強い肩たたきが必要な場合には木片７をたたく部分２の穴８に差し込むのであります。そして肩をたたくのであります。たたく部分２がゴムであるので穴８を木片より小さくあけて木片７の先端部分９を木片７より太くして抜けるのを防ぐ引かかりをつけてあります。ゴム穴の伸びで穴の中に穴より太い木片をさし込みますと、ゴムの縮みと引かかりにより密着固定ができるのです。そして使用しますと補助たたく部分６の付けはずしにより、強くも弱くも、たたけるのであります。
【産業上の利用可能性】
【００１１】本考案の活用例
１  肩の当たる部分６が取り付け、取りはずしができるので、少しの力で肩を強くもたたけるし又弱くもたたけるのであります。従来品はそれができない。
２  肩のたたく部分６をはずしたり、取付けたりできるので洗浄することができる。
３  これ１本で強弱２本分の働きができる。
【図面の簡単な説明】
【００１２】
【図１】実施例１  補助たたく部分６を取りはずした平面であります。
【図２】実施例２  補助たたく部分６をたたく部分２に取付けて締めた平面図であります。
【図３】実施例３  ゆるくたたくために補助肩たたき部分６をはずした平面図であります。
【図４】実施例４  補助たたく部分６に木片７を取り付けて補助肩たたき部分６を取りはずした平面であります。
【符号の説明】
【００１３】１  スプリング
２  たたく部分
３  柄
４  ボルト
５  ナット
６  補助たたく部分
７  木片
８  穴
９  引かかり
【手続補正３】
【補正対象書類名】図面
【補正対象項目名】全図
【補正方法】変更
【補正の内容】
【図１】
0003110541.tif 000011
【図２】
0003110541.tif 000012
【図３】
0003110541.tif 000013
【図４】
0003110541.tif 000014